【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
オペレーティングシステムを介してテレビジョン放送の受信条件を制御する手段と、
前記受信条件にしたがいテレビジョン放送を受信する手段と、
第１のユーザ操作を検出する手段と、
第２のユーザ操作を検出する手段と、
前記第１のユーザ操作に応じて情報処理機能を提供する第１のオペレーティングシステムを起動し、第２のユーザ操作に応じてテレビジョン放送受信機能を提供する第２のオペレーティングシステムを起動する起動手段とを備える情報処理装置。
【請求項２】
第１の識別情報によって認識される第１記録部に前記第１のオペレーティングシステムを格納し、第２の識別情報によって認識され第１の識別情報によって認識できない第２記録部に第２のオペレーティングシステムを格納する記録手段をさらに備え、
前記起動手段は、前記第１のユーザ操作に応じて前記第１の識別情報によって認識される第１記録部から第１のオペレーティングシステムを読み出し、前記第２のユーザ操作に
応じて前記第１の識別情報と第２の識別情報とを入れ替えて第２記録部から第２のオペレーティングシステムを読み出す読み出し手段を有する請求項１に記載の情報処理装置。
【請求項３】
前記起動手段は、前記第１のオペレーティングシステム起動時の処理の一部を省略して前記第２のオペレーティングシステムを起動する請求項１または２に記載の情報処理装置。
【請求項４】
前記起動手段は、前記第２の識別情報によって認識される第２記録部の存在の有無を判定する手段を有し、第２記録部の存在が確認できない場合に、前記第１のオペレーティングシステムを起動する請求項２に記載の情報処理装置。
【請求項５】
前記省略される処理は、オペレーティングシステムが管理するリソースまたは情報に係るセキュリティチェックである請求項３に記載の情報処理装置。
【請求項６】
コンピュータに、第１のユーザ操作または第２のユーザ操作を検出するステップと、
前記第１のユーザ操作に応じて情報処理機能を提供する第１のオペレーティングシステムを起動し、第２のユーザ操作に応じてテレビジョン放送受信機能を提供する第２のオペ
レーティングシステムを起動する起動ステップと、
第１のオペレーティングシステムまたは第２のオペレーティングシステムを介してテレビジョン放送の受信条件を制御し、テレビジョン放送を受信するステップとを実行させ、テレビジョン放送を受信させるプログラム。
【請求項７】
前記コンピュータは、
第１の識別情報によって認識される第１記録部と第２の識別情報によって認識され第１の識別情報によって認識できない第２記録部とを含む記録手段に接続され、前記第１記録部に前記第１のオペレーティングシステムが格納され、前記第２記録部に第２のオペレーティングシステムが格納されており、
前記起動ステップは、
第１のユーザ操作に応じて前記第１の識別情報によって認識される第１記録部から第１のオペレーティングシステムを読み出すステップと、
前記第２のユーザ操作に応じて前記第１の識別情報と第２の識別情報とを入れ替えて第２記録部から第２のオペレーティングシステムを読み出すステップとを有する請求項６に記載のテレビジョン放送を受信させるプログラム。
【請求項８】
前記起動ステップにおいては、
前記第１のオペレーティングシステム起動時の処理の一部が省略されて前記第２のオペレーティングシステムが起動される請求項６または７に記載のテレビジョン放送を受信させるプログラム。
【請求項９】
前記起動ステップは、
前記第２の識別情報によって認識される第２記録部の存在の有無を判定するステップと、
前記第２記録部の存在が確認できない場合に、前記第１のオペレーティングシステムを起動するステップとを有する請求項７に記載のテレビジョン放送を受信させるプログラム。
【請求項１０】
前記省略される処理は、
オペレーティングシステムが管理するリソースまたは情報に係るセキュリティチェックである請求項８に記載のテレビジョン放送を受信させるプログラム。
【請求項１１】
第１のユーザ操作または第２のユーザ操作を検出するステップと、
前記第１のユーザ操作に応じて情報処理機能を提供する第１のオペレーティングシステムを起動し、第２のユーザ操作に応じてテレビジョン放送受信機能を提供する第２のオペレーティングシステムを起動する起動ステップと、
第１のオペレーティングシステムまたは第２のオペレーティングシステムを介してテレビジョン放送の受信条件を制御し、テレビジョン放送を受信するステップとを備えるテレビジョン放送の受信方法。
【請求項１２】
第１の識別情報によって認識される第１記録部に前記第１のオペレーティングシステムが格納され、第２の識別情報によって認識され第１の識別情報によって認識できない第２記録部に第２のオペレーティングシステムが格納されており、
前記起動ステップは、
第１のユーザ操作に応じて前記第１の識別情報によって認識される第１記録部から第１のオペレーティングシステムを読み出すステップと、
前記第２のユーザ操作に応じて前記第１の識別情報と第２の識別情報とを入れ替えて第２記録部から第２のオペレーティングシステムを読み出すステップとを有する請求項１１に記載のテレビジョン放送の受信方法。
【請求項１３】
前記起動ステップにおいては、前記第１のオペレーティングシステム起動時の処理の一部が省略されて前記第２のオペレーティングシステムが起動される請求項１１または１２に記載のテレビジョン放送の受信方法。
【請求項１４】
前記起動ステップは、
前記第２の識別情報によって認識される第２記録部の存在の有無を判定するステップと、
前記第２記録部の存在が確認できない場合に、前記第１のオペレーティングシステムを起動するステップとを有する請求項１２に記載のテレビジョン放送の受信方法。
【請求項１５】
前記省略される処理は、オペレーティングシステムが管理するリソースまたは情報に係るセキュリティチェックである請求項１３に記載のテレビジョン放送の受信方法。
【請求項１６】
前記第１のオペレーティングシステムの動作中に、前記第２のオペレーティングシステムの動作中に使用されるデータを、ネットワークを介してダウンロードするダウンロード手段をさらに備え、
前記記録手段は、
前記第１のオペレーティングシステムと前記第２のオペレーティングシステムとのいずれによっても認識される第３記録部をさらに有し、
前記ダウンロード手段は、
前記ダウンロードされたデータを前記第３記録部に記録する請求項２に記載の情報処理装置。
【請求項１７】
前記ダウンロード手段によってダウンロードされるデータは、
前記第２のオペレーティングシステムの動作中に使用されるデータであって前記第２のオペレーティングシステムのプログラムを更新するためのデータであり、
前記第２のオペレーティングシステムの動作中に、前記第３記録部に記録されたデータを用いて前記第２のオペレーティングシステムのプログラムの更新を行う更新手段をさらに含む請求項１６に記載の情報処理装置。
【請求項１８】
前記記録手段は、
前記第１のオペレーティングシステムと前記第２のオペレーティングシステムとのいずれによっても認識できる第３記録部をさらに含み、
前記第１のオペレーティングシステムの動作中に、前記第２のオペレーティングシステムの動作中に使用されるデータであって前記第２のオペレーティングシステムのプログラムを更新するためのデータを、ネットワークを介してダウンロードし、ダウンロードされたデータを前記第３記録部に記録するステップと、
前記第２のオペレーティングシステムの動作中に、前記第３記録部に記録されたデータを用いて前記第２のオペレーティングシステムのプログラムの更新を行うステップとをさらに有する請求項７に記載のテレビジョン放送を受信させるプログラム。
【請求項１９】
前記第１のオペレーティングシステムと前記第２のオペレーティングシステムとのいずれによっても認識できる第３記録部をさらに有し、
前記第１のオペレーティングシステムの動作中に、前記第２のオペレーティングシステムの動作中に使用されるデータであって前記第２のオペレーティングシステムのプログラムを更新するためのデータを、ネットワークを介してダウンロードし、ダウンロードされたデータを前記第３記録部に記録するステップと、
前記第２のオペレーティングシステムの動作中に、前記第３記録部に記録されたデータを用いて前記第２のオペレーティングシステムのプログラムの更新を行うステップとをさ
らに含む請求項１２に記載のテレビジョン放送の受信方法。